(57)【要約】【課題】操作性に優れた電子機器を提供すること。【解決手段】電子機器は、複数の選択候補を円弧状に並べて表示するとともに、これら複数の選択候補の中の選択対象を識別表示する表示手段と、前記円弧とほぼ同心円状に配置された回転体と、前記回転体の回転に基づき、前記円弧状に並んだ前記複数の選択候補に沿って、識別表示対象の遷移を制御する識別表示制御手段とを備えている。【選択図】      図５
2006191300.tif 000002
【特許請求の範囲】
【請求項１】
映像を撮影する撮影手段と、
前記撮影手段により撮影された映像を記録する記録手段と、
前記撮影手段により撮影された映像を表示し、表示切り換え操作に対応して複数の選択候補を円弧状に並べて表示するとともに、これら複数の選択候補の中の選択対象を識別表示する表示手段と、
前記円弧とほぼ同心円状に配置された回転体と、
前記回転体の回転に基づき、前記円弧状に並んだ前記複数の選択候補に沿って、識別表示対象の遷移を制御する識別表示制御手段と、
を備えたことを特徴とするデジタルカメラ。
【請求項２】
映像を撮影する撮影手段と、
前記撮影手段により撮影された映像を記録する記録手段と、
前記撮影手段により撮影された映像を表示し、表示切り換え操作に対応して複数の選択候補を環状に並べて表示するとともに、これら複数の選択候補の中の選択対象を識別表示する表示手段と、
前記環状表示された複数の選択候補の表示面に対して水平な面に配置された回転体と、
前記回転体の回転に基づき、前記環状に並んだ前記複数の選択候補に沿って、識別表示対象の遷移を制御する識別表示制御手段と、
を備えたことを特徴とするデジタルカメラ。
【請求項３】
映像を撮影する撮影手段と、
前記撮影手段により撮影された映像を記録する記録手段と、
回転体と、
前記撮影手段により撮影された映像を表示し、表示切り換え操作に対応して設定状態を表示するとともに、この設定状態を前記回転体の回転操作により変更可能なことを案内表示する表示手段と、
前記回転体の回転に基づき、前記設定状態の設定を変更する設定変更制御手段と、
を備えたことを特徴とするデジタルカメラ。
【請求項４】
複数の選択候補を円弧状に並べて表示するとともに、これら複数の選択候補の中の選択対象を識別表示する表示手段と、
前記円弧とほぼ同心円状に配置された回転体と、
前記回転体の回転に基づき、前記円弧状に並んだ前記複数の選択候補に沿って、識別表示対象の遷移を制御する識別表示制御手段と、
を備えたことを特徴とする電子機器。
【請求項５】
前記識別表示制御手段は、前記回転体の回転に同期して識別表示対象の遷移を制御することを特徴とする請求項４に記載の電子機器。
【請求項６】
前記回転体の回転量と識別表示対象の遷移量の対応関係を設定する設定手段を備えたことを特徴とする請求項４に記載の電子機器。
【請求項７】
前記識別表示制御手段は、前記回転体の所定の回転角及び回転方向に対応して、所定の選択候補の次の選択候補へ識別表示対象を遷移することを特徴とする請求項４に記載の電子機器。
【請求項８】
前記表示手段は、前記複数の選択候補のうちのいくつかの選択候補を前記円弧に沿って所定間隔で表示し、前記複数の選択候補のうちのいくつかの選択候補を前記所定間隔と異なる間隔で表示し、
前記識別表示制御手段は、前記回転体の所定の回転角及び回転方向に対応して、所定の選択候補の次の選択候補へ識別表示対象を遷移する、
ことを特徴とする請求項４に記載の電子機器。
【請求項９】
前記表示手段は、全選択候補のうちの所定数の選択候補を円弧状に並べて表示し、
前記識別表示制御手段は、前記回転体の回転に対応して、前記円弧の一端に表示されていた選択候補を表示対象から除外し、替わりに前記円弧の他端に新たな選択候補を表示対象として追加表示する、
ことを特徴とする請求項４に記載の電子機器。
【請求項１０】
前記表示手段は、識別表示された選択対象に属する複数のサブ選択候補を、前記円弧と同心であって半径距離の異なる円弧に沿って表示するとともに、これら複数のサブ選択候補の中の選択対象を識別表示し、
前記識別表示制御手段は、前記回転体の回転に基づき、前記円弧状に並んだ前記複数のサブ選択候補に沿って、識別表示対象の遷移を制御する、
ことを特徴とする請求項４に記載の電子機器。
【請求項１１】
前記表示手段、前記回転体、前記識別表示制御手段、前記表示手段を収納する収納部を有する本体を備え、
前記表示手段は、前記円弧と前記回転体との同心関係を断ち、前記収容部に収容可能な構成である、
ことを特徴とする請求項４に記載の電子機器。
【請求項１２】
複数の選択候補を環状に並べて表示するとともに、これら複数の選択候補の中の選択対象を識別表示する表示手段と、
前記環状表示された複数の選択候補の表示面に対して水平な面に配置された回転体と、
前記回転体の回転に基づき、前記環状に並んだ前記複数の選択候補に沿って、識別表示対象の遷移を制御する識別表示制御手段と、
を備えたことを特徴とする電子機器。
【請求項１３】
前記表示手段は、第１の条件に基づき、複数の選択候補を前記環状に並べて表示するとともに、これら複数の選択候補の中の選択対象を識別表示し、第２の条件に基づき、複数の選択候補を円弧状に並べて表示するとともに、これら複数の選択候補の中の選択対象を識別表示し、
前記回転体は、前記円弧とほぼ同心円状に配置され、
前記識別表示制御手段は、前記回転体の回転に基づき、前記環状及び前記円弧状に並んだ前記複数の選択候補に沿って、識別表示対象の遷移を制御する、
を備えたことを特徴とする請求項１２に記載の電子機器。
【請求項１４】
撮影モードの開始及び停止を指示する第１の指示手段と、
第１のメニュー画面の表示を指示する第２の指示手段と、
第２のメニュー画面の表示を指示する第３の指示手段と、
前記表示手段は、前記第１の指示手段による前記撮影モードの開始後の前記第２の指示手段によるメニュー画面の表示に対応して、撮影映像を表示するとともに、この撮影映像上に、複数の選択候補を前記環状に並べて表示するとともに、これら複数の選択候補の中の選択対象を識別表示し、前記第１の指示手段による前記撮影モードの停止後の前記第３の指示手段によるメニュー画面の表示に対応して、複数の選択候補を前記円弧状に並べて表示するとともに、これら複数の選択候補の中の選択対象を識別表示する、
ことを特徴とする請求項１３に記載の電子機器。
【請求項１５】
前記表示手段は、前記第１の指示手段による前記撮影モードの開始後の前記第２の指示手段によるメニュー画面の表示に対応して、撮影映像を表示するとともに、この撮影映像上に、複数の選択候補を前記環状に並べて半透明表示することを特徴とする請求項１４に記載の電子機器。
【請求項１６】
前記表示手段は、表示対象となる選択候補の数に応じて、表示対象となる複数の選択候補の全てを前記環状に並べて表示する第１の表示モードと、表示対象となる複数の選択候補の所定数の選択候補を前記円弧状に並べて表示する第２の表示モードとを選択的に切り替え、
前記第１の表示モードは、前記回転体の回転に対応して、前記環状に並べられた複数の選択候補のいずれか一つを識別表示し、
前記第２の表示モードは、前記回転体の回転に対応して、前記円弧の一端に表示されていた選択候補を表示対象から除外し、替わりに前記円弧の他端に新たな選択候補を表示対象として追加表示し、前記円弧状に並べられた所定数の選択候補のいずれか一つを識別表示する、
ことを特徴とする請求項１３に記載の電子機器。
【請求項１７】
回転体と、
設定状態を表示するとともに、この設定状態を前記回転体の回転操作により変更可能なことを案内表示する表示手段と、
前記回転体の回転に基づき、前記設定状態の設定を変更する設定変更制御手段と、
を備えたことを特徴とする電子機器。
【請求項１８】
前記表示手段は、設定状態の表示に対応する位置に前記回転体をイメージする情報を表示することを特徴とする請求項１７に記載の電子機器。
【発明の詳細な説明】
【技術分野】
【０００１】
本発明は、静止画及び動画を撮影する映像撮影装置（デジタルカメラ）等の電子機器に関する。
【背景技術】
【０００２】
近年、映像撮影装置のような多機能なデジタル機器の普及が目覚しい。このようなデジタル機器は、多機能であるが故に、操作が複雑になりがちである。このような複雑な操作を分かり易くするために、十字キーによる操作に関する各種提案がなされている（特許文献１参照）。
【０００３】
十字キーは、左右方向に加えて上下方向にも項目選択を可能とする。この十字キーと呼ばれる一つのキーにより、多数の項目を比較的容易に選択することが可能となる。
【特許文献１】特開２００２−２９０７９５号公報
【発明の開示】
【発明が解決しようとする課題】
【０００４】
しかしながら、デジタル機器の多機能化はさらに進み、さらなる操作性の向上が求められている。
【０００５】
本発明の目的は、上記課題を解決するためになされたものであり、操作性に優れたデジタルカメラ及び電子機器を提供することにある。
【課題を解決するための手段】
【０００６】
この発明のデジタルカメラは、映像を撮影する撮影手段と、前記撮影手段により撮影された映像を記録する記録手段と、前記撮影手段により撮影された映像を表示し、表示切り換え操作に対応して複数の選択候補を円弧状に並べて表示するとともに、これら複数の選択候補の中の選択対象を識別表示する表示手段と、前記円弧とほぼ同心円状に配置された回転体と、前記回転体の回転に基づき、前記円弧状に並んだ前記複数の選択候補に沿って、識別表示対象の遷移を制御する識別表示制御手段とを備えている。
【０００７】
この発明の電子機器は、複数の選択候補を円弧状に並べて表示するとともに、これら複数の選択候補の中の選択対象を識別表示する表示手段と、前記円弧とほぼ同心円状に配置された回転体と、前記回転体の回転に基づき、前記円弧状に並んだ前記複数の選択候補に沿って、識別表示対象の遷移を制御する識別表示制御手段とを備えている。
【発明の効果】
【０００８】
本発明によれば、操作性に優れたデジタルカメラ及び電子機器を提供できる。
【発明を実施するための最良の形態】
【０００９】
以下、図面を参照し、本発明の実施形態について説明する。
【００１０】
図１及び図２は、この発明の映像撮影装置（デジタルカメラ）の一例を示す図である。図１は、映像撮影装置を構成する本体に設けられた収納部に対して表示部を収納した状態を示す図である。図２は、表示部に表示される映像を視認可能な状態にした様子を示す図である。
【００１１】
図１及び図２に示すように、映像撮影装置は、本体１を備えており、この本体１は、レンズ２、フラッシュ３、シャッターボタン４、表示部５、動画レコードボタン６、ジョグダイヤル（回転体）７、決定ボタン８、メニューボタン９、ズームバー１０、モードレバー１１、パワーボタン１２などを備えている。
【００１２】
さらに、本体１は、収納部２１を備えており、この収納部２１に、表示部５を収納することができる。表示部５は、可動自在に構成されており、収納部２１から取り出して、表示面を任意の角度に調整することができる。表示部５は、ＬＣＤ（液晶ディスプレイ）５１及びスピーカー５２を備えている。
【００１３】
図３は、ジョグダイヤル及び決定ボタンの詳細を説明するための図である。
【００１４】
図３に示すように、ジョグダイヤル７は、円環状に構成されている。このジョグダイヤル７は、右方向及び左方向に回転可能な構成となっている。なお、このジョグダイヤル７は、円環状だけに限定されるものではなく、指が引っ掛かりやすいように多角形の環状であってもよい。
【００１５】
さらにこのジョグダイヤル７の内側には、円形の決定ボタン８が配置されている。決定ボタン８は、中心位置に決定キー８１、上位置にＵＰキー８２、下位置にＤＯＷＮキー８３、右位置にＲＩＧＨＴキー８４、左位置にＬＥＦＴキー８５を備えている。
【００１６】
図４は、図１〜図３を参照して説明した映像撮影装置の概略構成を示すブロック図である。
【００１７】
図４に示すように、映像撮影装置は、ＣＣＤ１０１、信号処理回路１０２、エンコーダ１０３、メモリ１０４、ＨＤＤ１０５、メモリカード１０６、デコーダ１０７、ＬＣＤドライバ１０８、ＬＣＤ５１、ＬＡＮコントローラ１１０、ＵＳＢコントローラ１１１、ＬＡＮ端子１１２、ＵＳＢ端子１１３、ＣＰＵ１１４などを備えている。
【００１８】
シャッターボタン４の操作に対応して、ＣＣＤ１０１は、レンズ２を介して得られる光（静止画像）を電気信号に変換する。或いは、動画レコードボタン６の操作に対応して、ＣＣＤ１０１は、レンズ２を介して得られる光（動画像）を電気信号に変換する。信号処理回路１０２は、ＣＣＤ１０１から出力される電気信号をデジタル信号へ変換する。エンコーダ１０３は、静止画像のデジタル信号をＪＰＥＧに準拠した画像信号へエンコードする。或いは、エンコーダ１０３は、動画像のデジタル信号をＭＰＥＧに準拠した画像信号へエンコードする。ＨＤＤ１０５は、メモリ１０４を介して提供される画像信号を記憶する。着脱可能なメモリカード１０６も、同様に、メモリ１０４を介して提供される画像信号を記憶する。デコーダ１０７は、メモリを介して提供される画像信号をデコードする。ＬＣＤドライバ１０８は、デコードされた画像信号に基づきＬＣＤ５１の駆動を制御し、液晶ディスプレイ上に画像信号を出力する。
【００１９】
記録済み画像の再生時には、デコーダ１０７は、ＨＤＤ１０５又はメモリカード１０６からメモリ１０４を介して提供される画像信号をデコードする。ＬＣＤドライバ１０８は、デコードされた画像信号に基づきＬＣＤ５１の駆動を制御し、ＬＣＤ５１上に画像信号を出力する。
【００２０】
ＨＤＤ１０５又はメモリカード１０６に記録された画像を外部機器（ＰＣ等）に対して転送したり、或いは画像を外部機器から受信したりする場合は、ＵＳＢコントローラ１１１を介してＵＳＢ端子１１３から送受信する。また、ＰＣ等の外部機器を介さずに、例えばＤＶＤレコーダのような画像記録再生装置に対して、直接、エンコードされた画像を送受信することもできる。
【００２１】
一般に、ＤＶＤレコーダに画像を転送するときは、エンコードされた動画像を送信側（映像撮影装置側）でデコードし、ビデオ端子やＳ端子からアナログ出力し、受信側（画像記録再生装置側）でアナログ信号を再エンコードして保存する。この方法では、例えば１時間記録した画像をＤＶＤ等に記録するのに１時間かかる。
【００２２】
しかし、この映像撮影装置では、上記したように、エンコードした画像を、そのままストリーミングとしてネットワーク経由で画像記録再生装置に転送することができる。これにより、エンコード時の圧縮率にも依存するが、実記録時間の１／１０以下の転送時間を達成できる。しかも、画質については、再エンコードしないため高画質の状態を維持できる。例えば、実記録時間の１／１０程度の転送時間で済む場合には、１時間記録した動画像は、約６分程度で他の記録媒体へ記録することができる。ネットワークとしてＬＡＮを考えた場合、ＬＡＮコントローラ１１０を介してＬＡＮ端子１１２により画像データを送受信する。なお、転送の対象となるデータは、動画や静止画だけでなく、音声データでもよい。
【００２３】
この映像撮影装置は、大容量記憶部としてのＨＤＤ１０５を備えている。つまり、このＨＤＤ１０５には、様々なデータ（膨大な数の静止画像や長時間の動画像）を格納することができ、これに伴い画像の送りや戻しに高速性が要求される。このため、これらをストレスなく操作するため、ジョグダイヤル７及び決定ボタン８が使用される。ジョグダイヤル７の回転に対応して、ジョグダイヤル７は、システム全体を制御するＣＰＵ１１４に対して、回転量（回転角）及び回転方向の情報を出力する。例えば、ジョグダイヤル７は、一定の回転角度に応じたパルスを出力する。例えば、ジョグダイヤル７がｎ度回転すると、ジョグダイヤル７は１パルスを出力する。ＣＰＵ１１４は、単位時間あたりのパルス数をカウントし、単位時間あたりの回転角（回転速度）を演算する。以上により、ＣＰＵ１１４は、ジョグダイヤル７の回転量（回転角）、回転方向、回転速度等の回転情報を取得し、この回転情報に基づき、ＬＣＤ５１上の表示を制御する。決定ボタン８は、ＣＰＵ１１４に対して、中心位置の決定キー８１の押下、上位置のＵＰキー８２の押下、下位置のＤＯＷＮキー８３の押下、右位置のＲＩＧＨＴキー８４の押下、左位置のＬＥＦＴキー８５の押下を伝える。ＣＰＵ１１４は、決定ボタン８における各押下に基づき、各種動作を制御したり、ＬＣＤ５１上の表示を制御したりする。
【００２４】
以下、図５〜図１１を参照して、ジョグダイヤル７の配置と、このジョグダイヤル７の回転に基づくＬＣＤ５１の表示状態の遷移について説明する。
【００２５】
図５に示すように、表示部５を所定の位置に設定すると（ＬＣＤ５１を開き所定の位置に設定すると）、ジョグダイヤル７のほぼ同心円にＬＣＤ５１上のメニューアイコンを表示させることができる。なお、表示部５を使用しないときは、この表示部５を収納部２１の窪みに収納することができる。
【００２６】
パワーボタン１２の操作に対応してパワーオンされた状態で、メニューボタン９が操作されると、例えば、図５に示すようなメニュー画面が表示される。メニュー画面上では、複数の選択候補がアイコン化され、円弧状に並べて表示されている。また、メニュー画面上では、これら複数の選択候補の中の一つの選択対象（選択されているアイコン）だけがカーソル等により識別表示されている。これに対して、ジョグダイヤル７は、メニュー画面上の円弧と視覚状ほぼ同心円状に配置されている。
【００２７】
ＣＰＵ１１４は、ジョグダイヤル７の回転量（回転角）、回転方向、回転速度等の回転情報に基づき、円弧状に並んだ複数の選択候補に沿って、カーソル等による識別表示対象の遷移を制御する。つまり、ＣＰＵ１１４は、識別表示制御手段として機能する。
【００２８】
例えば、図６（ａ）に示すメニュー画面の状態を想定する。つまり、メニュー画面上では、プレビュー、風音低減、手ぶれ補正、連写、アルバム選択などの複数の選択候補がアイコン化され、円弧状に並べて表示されているとする。また、メニュー画面上では、これら複数の選択候補の中の選択対象である手ぶれ補正だけがカーソル等により識別表示されているとする。
【００２９】
図６（ａ）に示すメニュー画面表示の状態で、ジョグダイヤル７を右回りにｎ度回転させると、図７（ａ）に示すメニュー画面へ遷移する。つまり、図７（ａ）に示すメニュー画面上では、風音低減、手ぶれ補正、連写、アルバム選択、液晶の明るさなどの複数の選択候補がアイコン化され、円弧状に並べて表示される。また、メニュー画面上では、これら複数の選択候補の中の選択対象である連写だけがカーソル等により識別表示される。
【００３０】
また、図６（ａ）及び図７（ａ）から判るように、ＣＰＵ１１４は、ジョグダイヤル７の回転に対応して、円弧の一端（例えば円弧の上端）に表示されていた選択候補（プレビュー）を表示対象から除外し、替わりに円弧の他端（例えば円弧の下端）に新たな選択候補（液晶の明るさ）を表示対象として追加表示している。
【００３１】
例えば、全選択候補のアイコンが２４個あり、そのうちの７個のアイコンがメニュー画面上で等間隔に表示されているとする。メニュー画面上の表示とアイコンの回転とを同期するように設定した場合には、ジョグダイヤル７を１５度（３６０／２４）だけ回転させると、次の選択候補のアイコンを選択対象（カーソル等により識別表示）とすることができる。このように、メニュー画面上の表示とアイコンの回転とを同期するように設定すると、使用感、操作感が向上する。
【００３２】
なお、ジョグダイヤル７や決定ボタン８の操作により、ジョグダイヤル７の回転量と識別表示対象の遷移量の対応関係を任意に設定することができる。例えば、ジョグダイヤル７の回転に対して、選択候補の回転が速すぎたり遅すぎたり感じることがある。これはジョグダイヤル７の回転半径と、選択候補が並ぶ円弧の回転半径に差があるときに使用者が固有に感じるものである。そこで、これら二つの回転速度の関係を使用者が任意に設定することができる。使用者は、ジョグダイヤル７を回転して、ＬＣＤ５１のメニュー画面上から回転速度関係設定のアイコンを選択し、好みの速度に設定することができる。ＣＰＵ１１４は、設定された回転速度関係を記憶し、実際のジョグダイヤル７の回転速度と記憶した回転速度関係に基づき、メニュー上のアイコンの回転速度を制御する。このように、二つの回転速度の関係を使用者が任意に設定することができ、操作感がさらに向上する。
【００３３】
図６、図７、図８から判るように、ＣＰＵ１１４は、ジョグダイヤル７の所定の回転角及び回転方向に対応して、所定の選択候補の次の選択候補へ識別表示対象を遷移する。例えば、図８に示すように、ＬＣＤ５１が、複数の選択候補（候補１〜７）のうちのいくつかの選択候補を円弧に沿って所定間隔で表示し、複数の選択候補のうちのいくつかの選択候補を所定間隔と異なる間隔（選択候補４と選択候補５の間）で表示しているとする。この場合でも、ＣＰＵ１１４は、ジョグダイヤル７の所定の回転角及び回転方向に対応して、所定の選択候補の次の選択候補へ識別表示対象を遷移する。
【００３４】
つまり、ジョグダイヤル７を右回りにｎ度回転させると、選択候補１の次には選択候補２を選択する。同様に、ジョグダイヤル７を右回りにｎ度回転させると、選択候補２の次には選択候補３を選択する。同様に、ジョグダイヤル７を右回りにｎ度回転させると、選択候補３の次には選択候補４を選択する。同様に、ジョグダイヤル７を右回りにｎ度回転させると、選択候補４の次には選択候補５を選択する。例えば、カテゴリの異なる選択候補（選択候補４と５）を並べる場合に選択候補の間を広くとり視認性を向上させても、ジョグダイヤル７の回転角は一定（ｎ度）で、次の選択候補（選択候補４の次の選択候補５）を選択することができる。
【００３５】
また、図９に示すように、例えば、全選択候補のアイコンが７個あり、これら７個のアイコン全てがメニュー画面上で等間隔に表示されているとする。この場合、ＣＰＵ１１４は、ジョグダイヤル７の回転に対応して、円弧の一端（例えば円弧の上端）に表示されていた選択候補（例えば選択候補１）を表示対象から除外し、円弧の他端（例えば円弧の下端）に表示対象から除外された選択候補（例えば選択候補１）を表示対象として追加表示する。
【００３６】
また、図６（ａ）に示すメニュー画面（手ぶれ補正選択画面）において、決定ボタン８の決定キー８１を押下すると、或いは決定ボタン８のＲＩＧＨＴキー８４を押下すると、カーソル等により識別表示された選択対象（手ぶれ補正）が選択される。これに伴い、図６（ｂ）に示すメニュー画面（アイテム選択画面）へ遷移する。つまり、ＬＣＤ５１は、カーソル等により識別表示された選択対象（手ぶれ補正）に属する複数のサブ選択候補（手ぶれ補正オン、手ぶれ補正オフ）を、上記した円弧（半径距離Ａの円弧）と同心であって半径距離の異なる円弧（半径距離Ｂの円弧）に沿って表示するとともに、これら複数のサブ選択候補の中の選択対象をカーソル等により識別表示する。図６（ｂ）は、半径距離Ａ＞半径距離Ｂのケースを示している。また、ＣＰＵ１１４は、ジョグダイヤル７の回転に基づき、円弧状に並んだ複数のサブ選択候補に沿って、カーソル等による識別表示対象の遷移を制御する。なお、図６（ｂ）に示すアイテム選択画面において、メニューボタン９を押下すると、或いは決定ボタン８のＬＥＦＴキー８５を押下すると、図６（ａ）に示すメニュー画面（手ぶれ補正選択画面）へ戻る。
【００３７】
同様に、図７（ａ）に示すメニュー画面（連写選択画面）において、決定ボタン８の決定キー８１を押下すると、或いは決定ボタン８のＲＩＧＨＴキー８４を押下すると、カーソル等により識別表示された選択対象（連写）が選択される。これに伴い、図７（ｂ）に示すメニュー画面（アイテム選択画面）へ遷移する。つまり、ＬＣＤ５１は、カーソル等により識別表示された選択対象（連写）に属する複数のサブ選択候補（１ショット、連写、ＡＥＢ）を、上記した円弧（半径距離Ａの円弧）と同心であって半径距離の異なる円弧（半径距離Ｂの円弧）に沿って表示するとともに、これら複数のサブ選択候補の中の選択対象をカーソル等により識別表示する。図７（ｂ）は、半径距離Ａ＞半径距離Ｂのケースを示している。また、ＣＰＵ１１４は、ジョグダイヤル７の回転に基づき、円弧状に並んだ複数のサブ選択候補に沿って、カーソル等による識別表示対象の遷移を制御する。なお、図７（ｂ）に示すアイテム選択画面において、メニューボタン９を押下すると、或いは決定ボタン８のＬＥＦＴキー８５を押下すると、図７（ａ）に示すメニュー画面（連写選択画面）へ戻る。
【００３８】
次に、図１０を参照して、選択候補の環状（円形）表示について説明する。
【００３９】
動画レコードボタン６を押下し撮影モードの開始後（動画撮影中）に（図１０（ａ））、決定キー８のＵＰキー８２を押下すると（第１の条件）、ＬＣＤ５１は、撮影映像を表示するとともに、この撮影映像上に、クイックメニュー（フォーカス選択）を表示する（図１０（ｂ））。つまり、ＣＰＵ１１４は、撮影映像上に、複数の選択候補を環状に並べて半透明表示し、これら複数の選択候補の中の選択対象をカーソル等により識別表示する。このように、複数の選択候補を環状に並べて表示することにより、ジョグダイヤル７によりこれら複数の選択候補を選択できることを視覚的に知らせることができる。また、表示部５の表示角度を調整することにより、環状表示された複数の選択候補の表示面と、ジョグダイヤル７の面とを水平の関係に保つことができる。ＣＰＵ１１４は、ジョグダイヤル７の回転に基づき、環状に並んだ複数の選択候補に沿って、カーソル等による識別表示対象の遷移を制御する（図１０（ｂ）→図１０（ｃ）など）。例えば、図１０（ｃ）の画面上（フォーカス選択＿マクロ）で、決定ボタン８の決定キー８１を押下すると、図１０（ｄ）の画面（詳細表示＿マクロ）へ遷移する。特にボタン操作がなければ、約３秒後に、図１０（ｅ）の画面（通常表示＿マクロ）へ遷移する。
【００４０】
なお、動画レコードボタン６を押下し撮影モードの停止後（動画撮影中）にメニューボタン９を押下すると（第２の条件）、ＬＣＤ５１は、図６（ａ）又は図７（ａ）に示すようなメニュー画面を表示する。
【００４１】
上記したように、この映像撮影装置は、操作の条件に応じて（録画中の操作と録画停止中の操作）、環状に選択候補を表示したり、円弧状に選択候補を表示したりする。この映像撮影装置は、選択候補が多数の場合には選択候補を円弧状に表示し、選択候補が少数の場合には選択候補を環状に表示している。選択候補が多数の場合に、全ての選択候補を画面上に表示すると見難くなるため、円弧上に一部の選択候補を表示する。選択候補が少数の場合には、全ての選択候補を見渡せるように、全ての選択候補を環状に表示する。
【００４２】
次に、図１１を参照して、ジョグダイヤルによる設定変更可能表示について説明する。
【００４３】
動画レコードボタン６を押下し撮影モードの開始後（動画撮影中）に（図１１（ａ））、決定ボタン８のＲＩＧＨＴキー８４を押下すると、ＬＣＤ５１は、撮影映像を表示するとともに、この撮影映像上に、露出補正変更可能状態を表示する（図１１（ｂ））。つまり、ＬＣＤ５１は、撮影映像上に、現在の設定状態（現在の露出補正の設定状態）を表示するとともに、この設定状態をジョグダイヤル７の回転操作により変更可能なことを案内表示する。即ち、設定状態の表示に対応する位置にジョグダイヤル７をイメージするアイコン７１を表示する。これにより、ジョグダイヤル７の回転操作により設定の変更が可能であることを視覚的に知らせることができる。
【００４４】
ＣＰＵ１１４は、ジョグダイヤル７の回転に基づき、露出補正を変更する（図１１（ｃ））。決定ボタン８の決定キー８１が押下されると、或いは決定ボタン８のＲＩＧＨＴキー８４が押下されると、或いは特にボタン操作が無く５秒経過すると、元の画面へ遷移する（図１１（ｄ））。
【００４５】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００４６】
【図１】この発明の映像撮影装置の一例を示す図である。
【図２】図１に示す映像撮影装置の表示部に表示される映像を視認可能な状態にした様子を示す図である。
【図３】図１及び図２に示す映像撮影装置のジョグダイヤル及び決定ボタンの詳細を説明するための図である。
【図４】図１〜図３に示す映像撮影装置の概略機能を説明するための機能ブロック図である。
【図５】ジョグダイヤルとメニュー画面上のアイコンが並ぶ円弧との位置関係を示す図である。
【図６】ジョグダイヤルの回転操作とメニュー画面の遷移との関係の第１例を示す図である。
【図７】ジョグダイヤルの回転操作とメニュー画面の遷移との関係の第２例を示す図である。
【図８】ジョグダイヤルの回転操作とメニュー画面の遷移との関係の第３例を示す図である。
【図９】ジョグダイヤルの回転操作とメニュー画面の遷移との関係の第４例を示す図である。
【図１０】選択候補の環状表示の一例を示す図である。
【図１１】ジョグダイヤルによる設定変更可能表示の一例を示す図である。
【符号の説明】
【００４７】
１…本体、２…レンズ、３…フラッシュ、４…シャッターボタン、５…表示部、６…動画レコードボタン、７…ジョグダイヤル（回転体）、８…決定ボタン、９…メニューボタン、１０…ズームバー、１１…モードレバー、１２…パワーボタン、２１…収納部、５１…ＬＣＤ、５２…スピーカー、１０１…ＣＣＤ、１０２…信号処理回路、１０３…エンコーダ、１０４…メモリ、１０５…ＨＤＤ、１０６…メモリカード、１０７…デコーダ、１０８…ＬＣＤドライバ、１１０…ＬＡＮコントローラ、１１１…ＵＳＢコントローラ、１１２…ＬＡＮ端子、１１３…ＵＳＢ端子、１１４…ＣＰＵ
【図１】
2006191300.tif 000003
【図２】
2006191300.tif 000004
【図３】
2006191300.tif 000005
【図４】
2006191300.tif 000006
【図５】
2006191300.tif 000007
【図６】
2006191300.tif 000008
【図７】
2006191300.tif 000009
【図８】
2006191300.tif 000010
【図９】
2006191300.tif 000011
【図１０】
2006191300.tif 000012
【図１１】
2006191300.tif 000013